(57)【要約】      （修正有）【課題】シンプルな構造であり、操作性を大きく向上させたポインティングデバイスを提供する。【解決手段】ユーザによる操作を受付けて操作内容を含む信号を送信するポインティングデバイス１であって、デバイス本体１１を備える。デバイス本体１１は、クリック操作を受付ける操作部１１ａと、移動操作を受付けるセンサ部と、ユーザの指が挿通される挿通孔Ｈと、を有する。【選択図】図２
2020017141.tif 000002
【特許請求の範囲】
【請求項１】
ユーザによる操作を受付けて操作内容を含む信号を送信するポインティングデバイスであって、
デバイス本体を備え、
前記デバイス本体は、クリック操作を受付ける操作部と、移動操作を受付けるセンサ部と、前記ユーザの指が挿通される挿通孔と、を有することを特徴とするポインティングデバイス。
【請求項２】
前記デバイス本体は、作業面に配置され、
前記作業面と面接触する接触面を有することを特徴とする、請求項１に記載のポインティングデバイス。
【請求項３】
前記接触面は、前記操作部の底面であることを特徴とする、請求項２に記載のポインティングデバイス。
【請求項４】
前記接触面は、前記挿通孔の軸方向に沿って傾斜していることを特徴とする、請求項２又は３に記載のポインティングデバイス。
【請求項５】
前記挿通孔の内周面に当接する調節部材を備え、
前記調節部材は、可撓性材料により形成されていることを特徴とする、請求項１〜４の何れかに記載のポインティングデバイス。
【請求項６】
前記挿通孔の内周面には、嵌合溝が設けられ、
前記調節部材の外周面には、前記嵌合溝に嵌合可能な嵌合突起が設けられていることを特徴とする、請求項５に記載のポインティングデバイス。
【請求項７】
前記デバイス本体は、その外周面に、前記挿通孔に連通するピン孔が設けられていること特徴とする、請求項１〜６の何れかに記載のポインティングデバイス。
【発明の詳細な説明】
【技術分野】
【０００１】
本発明は、指先に装着可能なポインティングデバイスに係るものである。
【背景技術】
【０００２】
従来から、電子機器の画面上に表示されたポインタの動作を制御するデバイスとして、ポインティングデバイスが開発、利用されてきた。
【０００３】
このポインティングデバイスは、代表的なマウスの他、ジョイスティックやタッチパッド、タッチパネル、トラックボール等様々な形態が存在し、電子機器の種類や使用環境等に合わせて、適用される形態が適宜選択される。
【０００４】
また、近年では、指先で操作することのできる形態を有するポインティングデバイスが、種々提案されている。
【０００５】
例えば、特許文献１には、中指に装着して用いられるポインティングデバイスが記載されている。
このポインティングデバイスは、掌側の中指に移動量検出センサが配置され、親指の先で上下左右になぞる操作により二次元座標入力を行うことができる他、中指と人差し指の間を閉じればマウスの右ボタンに相当するスイッチが入り、中指と薬指の間を閉じればマウスの左ボタンに相当するスイッチが入る構成となっている。
【０００６】
また、特許文献２には、親指と、人差し指又は中指で把持するポインティングデバイスが記載されている。
このポインティングデバイスは、先端に設けられたペン先や、上方に突出する尾根状部等を備え、尾根状部の側面に接触センサが設けられている構成となっている。
【０００７】
また、特許文献３には、片手の二本の指で把持するポインティングデバイスが記載されている。
このポインティングデバイスは、片手の二本の指の指先又は指の一部で挟持して相対的に摺動可能な二枚の板状入力部材と、片手の他の指を用いて把持される把持部と、二枚の板状入力部材を把持部に連結する連結部と、を備え、板状入力部材の相対位置又は相対移動に応じて入力情報を形成する情報形成部を備える構成となっている。
【先行技術文献】
【特許文献】
【０００８】
【特許文献１】特許第５７７６９１９号公報
【特許文献２】特許第５４７８５８７号公報
【特許文献３】特開２００５−２９２８８３号公報
【発明の概要】
【発明が解決しようとする課題】
【０００９】
しかしながら、特許文献１に記載のポインティングデバイスは、様々な機能を集約させていることから構造が複雑となり、製造性の悪化や、ポインティングデバイスそのものが脆弱となることが懸念される。
また、特許文献１に記載のポインティングデバイスは、指への装着手段が面ファスナーであることから、ユーザは、両手を用いた装着動作を余儀なくされ、装着時に手間がかかる。
【００１０】
特許文献２及び特許文献３に記載のポインティングデバイスは、少なくとも２本の指で操作を行うものであり、ユーザは、例えば、ポインティングデバイスの操作からタイピング動作に切り替える際、ポインティングデバイスを一旦手から離す必要がある。
即ち、特許文献２及び特許文献３に記載のポインティングデバイスは、従来のポインティングデバイスと比較して、軽量化は実現されているものの、使い勝手の面では大きな差異が無い。
【００１１】
本発明は上記のような実状に鑑みてなされたものであり、シンプルな構造であり、操作性を大きく向上させたポインティングデバイスを提供することを課題とする。
【課題を解決するための手段】
【００１２】
上記課題を解決するために、本発明は、
ユーザによる操作を受付けて操作内容を含む信号を送信するポインティングデバイスであって、
デバイス本体を備え、
前記デバイス本体は、クリック操作を受付ける操作部と、移動操作を受付けるセンサ部と、前記ユーザの指が挿通される挿通孔と、を有することを特徴とする。
【００１３】
本発明によれば、デバイス本体が挿通孔を有していることで、ユーザは、自身の指を挿通孔に挿通させるという、片手で行うことができる簡易な装着動作のみで、装着可能となる。
また、ユーザは、指先のみで本ポインティングデバイスを扱うことができ、本ポインティングデバイスを装着した状態であっても、キーボードによるタイピング操作を行うことが可能となる。
【００１４】
本発明の好ましい形態では、前記デバイス本体は、作業面に配置され、前記作業面と面接触する接触面を有することを特徴とする。
【００１５】
このような構成とすることで、本ポインティングデバイスを作業面に安定的に載置することが可能となる。
【００１６】
本発明の好ましい形態では、前記接触面は、前記操作部の底面であることを特徴とする。
【００１７】
このような構成とすることで、ユーザは、本ポインティングデバイスを装着した状態で、接触面を作業面に向けて押圧することにより、操作部を用いたクリック操作を行うことが可能となる。
即ち、ユーザが、他の指を用いることなく、挿通孔に挿通された指のみでクリック操作を行うことが可能となり、本ポインティングデバイスの操作性が向上する。
【００１８】
本発明の好ましい形態では、前記接触面は、前記挿通孔の軸方向に沿って傾斜していることを特徴とする。
【００１９】
このような構成とすることで、ユーザは、掌と作業面とを平行な状態とすることなく、より自然な態様で本ポインティングデバイスを操作することが可能となり、本ポインティングデバイスの操作性が向上する。
【００２０】
本発明の好ましい形態では、前記挿通孔の内周面に当接する調節部材を備え、前記調節部材は、可撓性材料により形成されていることを特徴とする。
【００２１】
このような構成とすることで、ユーザは、ポインティングデバイスを装着する指の太さに適合するように、適宜調節部材により挿通孔の径を調節することができ、本ポインティングデバイスの不意の脱離等を防止し、快適な使用感を実現することが可能となる。
【００２２】
本発明の好ましい形態では、前記挿通孔の内周面には、嵌合溝が設けられ、前記調節部材の外周面には、前記嵌合溝に嵌合可能な嵌合突起が設けられていることを特徴とする。
【００２３】
このような構成とすることで、調節部材が挿通孔の内部で位置決めされるため、長時間の使用等による調節部材の位置のずれを防止でき、本ポインティングデバイスの、より快適な使用感を実現することが可能となる。
【００２４】
本発明の好ましい形態では、前記デバイス本体は、その外周面に、前記挿通孔に連通するピン孔が設けられていること特徴とする。
【００２５】
このような構成とすることで、ユーザは、適宜ピン孔に任意の部材を挿通させ、挿通孔の内周面に当接された調節部材を押圧することで、簡易に調節部材をデバイス本体から取り外すことが可能となる。
【発明の効果】
【００２６】
本発明によれば、シンプルな構造であり、操作性を大きく向上させたポインティングデバイスを提供することができる。
【図面の簡単な説明】
【００２７】
【図１】本発明の実施形態に係るデバイス本体の概略斜視図である。
【図２】本発明の実施形態に係るデバイス本体を示す図であって、（ａ）正面図、（ｂ）底面図である。
【図３】本発明の実施形態に係るデバイス本体を示す図であって、（ａ）ＸＸ´線断面図、（ｂ）ＹＹ´線断面図である。
【図４】本発明の実施形態に係る調節部材を示す図であって、（ａ）概略斜視図、（ｂ）デバイス本体に装着した際の概略斜視図である。
【図５】本発明の実施形態に係るポインティングデバイスの使用例を示す図である。
【図６】本発明の実施形態に係るポインティングデバイスの使用例を示す図である。
【図７】本発明の実施形態に係るポインティングデバイスの変更例を示す図である。
【発明を実施するための形態】
【００２８】
以下、図１〜図７を用いて、本発明の実施形態に係るポインティングデバイスについて説明する。
なお、以下に示す実施形態は本発明の一例であり、本発明を以下の実施形態に限定するものではない。また、これらの図において、符号１及び符号１´は、本実施形態に係るポインティングデバイスを示す。
【００２９】
図１に示すように、ポインティングデバイス１は、外形が略ドーム状のデバイス本体１１を備えている。
【００３０】
デバイス本体１１は、ユーザのクリック操作を受付ける操作部１１ａと、ユーザの移動操作を受付けるセンサ部１１ｂ（図２参照）と、ユーザの指Ｆ（図４参照）が挿通される挿通孔Ｈと、を有している。
また、デバイス本体１１の内部には、操作部１１ａ及びセンサ部１１ｂが受け付けた操作内容を含む信号の、対象の表示デバイス（図示せず）への送信や、これらの操作内容を受け付けることによる各種動作の設定等を行う、制御通信部（図示せず）が設けられている。
なお、対象の表示デバイスとして、例えば、パーソナルコンピュータやスマートフォン等が挙げられる。
【００３１】
また、挿通孔Ｈの内周面には、嵌合溝ｇが設けられている。
さらに、デバイス本体１１は、その外周面に、挿通孔Ｈに連通するピン孔ｐが設けられている。
【００３２】
図２に示すように、操作部１１ａ及びセンサ部１１ｂは、デバイス本体１１の底面に設けられている。
詳述すれば、センサ部１１ｂは、デバイス本体１１の底面の略中央に設けられている。また、操作部１１ａは、輪状であり、デバイス本体１１の底面からやや突出して設けられ、かつセンサ部１１ｂが輪の中央に配置されるように設けられている。
【００３３】
センサ部１１ｂは、ブルーＬＥＤ方式やレーザー方式、光学式等により、ポインティングデバイス１の移動量を検出するセンサである。
【００３４】
図３（ａ）に示すように、嵌合溝ｇは、側面視で略長方形状であり、その長辺方向が、挿通孔Ｈの軸方向と略平行となるように構成されている。
【００３５】
また、デバイス本体１１の底面と操作部１１ａの底面とは、略平行であり、図３（ａ）において、挿通孔Ｈの左方の開口端を第一開口端ｈ１、右方の開口端を第二開口端ｈ２とすると、第一開口端ｈ１から第二開口端ｈ２に向かうに伴って下方に傾斜するように構成されている。
なお、デバイス本体１１の底面及び操作部１１ａの底面の両面が傾斜する構成とする必要はなく、操作部１１ａの底面のみが傾斜する構成としても良い。
【００３６】
図３（ｂ）に示すように、嵌合溝ｇは、平面視で左右一対設けられ、ピン孔ｐは、右方の嵌合溝ｇを介して挿通孔Ｈに連通する位置に設けられている。
なお、嵌合溝ｇは、必ずしも左右一対設ける必要はない。また、ピン孔ｐは、後述する調節部材Ａの取り外し易さの点から、嵌合溝ｇを介して挿通孔Ｈに連通する位置に設けられていることが好ましいが、これに限定されず、デバイス本体１１の外周面であれば、どこに設けられていても良い。
【００３７】
図４（ａ）に示すように、ポインティングデバイス１は、調節部材Ａを備えている。
調節部材Ａは、正面視で略Ｃ字状であり、可撓性材料により形成された板状体を湾曲させることにより形成されている。
また、調節部材Ａの外周面には、一対の嵌合溝ｇに嵌合可能な、一対の嵌合突起ｊが設けられている。即ち、一対の嵌合突起ｊは、側面視で略長方形状であり、その長辺方向が、挿通孔Ｈの軸方向と略平行となるように構成されている。
【００３８】
図４（ｂ）は、一対の嵌合突起ｊを一対の嵌合溝ｇに嵌合させ、調節部材Ａの外周面を挿通孔Ｈの内周面に当接させた際の概略斜視図である。
なお、調節部材Ａにおける隠れ線は、点線で示している。
【００３９】
以下図５〜図６を用いて、ポインティングデバイス１の使用方法について説明する。
【００４０】
ポインティングデバイス１は、制御通信部を用いて、対象の表示デバイスと無線通信を行うことにより、ポインタの動作の制御が可能な構成となっている。
無線通信の規格としては、Ｂｌｕｅｔｏｏｔｈ（登録商標）やＺｉｇｂｅｅ（登録商標）等の無線通信規格、メッシュネットワーク形式や、Ｐ２Ｐ（Ｐｅｅｒ  ｔｏ  Ｐｅｅｒ）形式等、種々の無線通信の構成が採用され得る。
なお、使用環境等に応じて、デバイス本体１１に対象の表示デバイスが備える端子と接続可能なケーブルを設け、有線によりポインタの動作の制御が可能な構成としても良い。
【００４１】
また、ポインティングデバイス１は、制御通信部及び公知のワイヤレス充電器（図示せず）を用いることで、電磁誘導等による非接触充電（ワイヤレス充電）が可能な構成となっている。
なお、使用環境等に応じて、デバイス本体１１にＵＳＢ端子やＬｉｇｈｔｎｉｎｇ端子等、充電用の端子を設けることで、有線により充電可能な構成としても良い。
【００４２】
ポインティングデバイス１を使用する際、ユーザは、自身の左右何れかの手の指Ｆを、挿通孔Ｈの第二開口端ｈ２から挿通することで、図５（ａ）に示すような状態となる。
【００４３】
そして、ユーザは、図５（ｂ）に示すように、作業面Ｗに操作部１１ａの底面１１ａ１を接触させた状態で、ポインティングデバイス１を下方に向けて押圧することで、操作部１１ａがクリック操作を受け付け、デバイス上のポインタがクリック動作を行う。
【００４４】
ここで、作業面Ｗとは、例えば、パーソナルコンピュータやキーボードが配置された机上や、マウスパッドの表面等が挙げられる。
なお、図５（ｂ）において、挿通孔Ｈ、嵌合溝ｇ及び指Ｆにおける隠れ線は、点線で示している。
【００４５】
また、ユーザは、図５（ｂ）に示すように、作業面Ｗに操作部１１ａの底面１１ａ１を接触させた状態で、ポインティングデバイス１を移動させることで、センサ部１１ｂが移動操作を受け付け、デバイス上のポインタが移動する。
このように、操作部１１ａの底面１１ａ１は、作業面Ｗと面接触する接触面Ｃを形成している。
【００４６】
ユーザは、図６に示すように、ポインティングデバイス１を左右何れかの手の複数の指に装着して用いることができる。
【００４７】
このようにすることで、ユーザは、ポインティングデバイス１を用いて通常のマウスと同様のクリック操作を行うことが可能な構成とすることができる。
即ち、一方のポインティングデバイス１はクリック操作により、通常のマウスで左クリックした場合と同様の信号を送信する設定としておき、他方のポインティングデバイス１はクリック操作により、通常のマウスで右クリックした場合と同様の信号を送信する設定としておく。
そして、ユーザは、これらのポインティングデバイス１を、左右何れかの手の任意の２本の指Ｆに装着することで、片手を用いて、通常のマウスと同様のクリック操作を行うことが可能な構成とすることができる。
【００４８】
また、このようにすることで、ユーザは、ポインティングデバイス１を用いて対象の表示デバイスの表示部のズームインやズームアウトを行うことが可能な構成とすることができる。
即ち、例えば、ユーザは、複数のポインティングデバイスに対して同時にクリック操作を行うことで、対象の表示デバイスに、ユーザが複数のポインティングデバイス１を使用していることを認識させる構成とする。
そして、この操作により、ユーザは、図６の矢印ｉの動きを各指同時に行うことで、ズームインを行うことができ、矢印ｏの動きを各指同時に行うことで、ズームアウトを行うことが可能な構成とすることができる。
【００４９】
なお、ポインティングデバイス１を装着する指Ｆは、人差し指や中指に限られず、どの指であっても良い。また、ユーザは、ポインティングデバイス１を、両手の指に装着しても良い。
【００５０】
本実施形態によれば、デバイス本体１１が、ユーザの指Ｆが挿通される挿通孔Ｈを有していることで、ユーザは、自身の指Ｆを挿通孔Ｈに挿通させるという、片手で行うことができる簡易な装着動作のみで、ポインティングデバイス１を装着可能となる。
また、ユーザは、指先のみでポインティングデバイス１を扱うことができ、ポインティングデバイス１を装着した状態であっても、キーボードＫによるタイピング操作を行うことが可能となる。
【００５１】
また、デバイス本体１１が、作業面Ｗに配置され、作業面Ｗと面接触する接触面Ｃを有することで、ポインティングデバイス１を作業面に安定的に載置することが可能となる。
【００５２】
また、接触面Ｃが、操作部１１ａの底面１１ａ１であることで、ユーザは、ポインティングデバイス１を装着した状態で、接触面Ｃを作業面Ｗに向けて押圧することにより、操作部１１ａを用いたクリック操作を行うことが可能となる。即ち、ユーザが、他の指Ｆを用いることなく、挿通孔Ｈに挿通された指Ｆのみでクリック操作を行うことが可能となり、ポインティングデバイス１の操作性が向上する。
【００５３】
また、接触面Ｃである操作部１１ａの底面１１ａ１が、挿通孔Ｈの軸方向に沿って傾斜していることで、ユーザは、掌と作業面Ｗとを平行な状態とすることなく、より自然な態様でポインティングデバイス１を操作することが可能となり、ポインティングデバイス１の操作性が向上する。
【００５４】
また、挿通孔Ｈの内周面に当接する調節部材Ａを備え、調節部材Ａが、可撓性材料により形成されていることで、ユーザは、ポインティングデバイス１を装着する指Ｆの太さに適合するように、適宜調節部材Ａにより挿通孔Ｈの径を調節することができ、ポインティングデバイス１の不意の脱離等を防止し、快適な使用感を実現することが可能となる。
【００５５】
また、挿通孔Ｈの内周面には、嵌合溝ｇが設けられ、調節部材Ａの外周面には、嵌合溝ｇに嵌合可能な嵌合突起ｊが設けられていることで、調節部材Ａが挿通孔Ｈの内部で位置決めされるため、長時間の使用等による調節部材Ａの位置のずれを防止でき、ポインティングデバイス１の、より快適な使用感を実現することが可能となる。
【００５６】
また、デバイス本体１１の外周面に、挿通孔Ｈに連通するピン孔ｐが設けられていることで、ユーザは、適宜ピン孔ｐに任意の部材を挿通させ、挿通孔Ｈの内周面に当接された調節部材Ａを押圧することで、簡易に調節部材Ａをデバイス本体１１から取り外すことが可能となる。
【００５７】
なお、前記実施形態において示した各構成部材の諸形状や寸法等は一例であって、設計要求等に基づき種々変更可能である。
【００５８】
例えば、図７に示す構成を採用しても良い。
なお、図７は、ポインティングデバイス１の変更例を適用した、ポインティングデバイス１′を示す図であって、図７（ａ）概略斜視図、図７（ｂ）背面図、図７（ｃ）ＺＺ′線断面図である。
【００５９】
詳述すれば、ポインティングデバイス１′は、ポインティングデバイス１のような調節部材Ａやピン孔ｐを有しておらず、デバイス本体１１と、第一開口端ｈ１から挿通孔Ｈの軸方向に沿って延設され、端部が閉じられたキャップ部Ｂと、備えている。
このようにすることで、ポインティングデバイス１′の装着位置が、不意に指Ｆの付け根側に移動してしまうことを防止することができる。
なお、図７（ａ）において、デバイス本体１１の隠れ線は、点線で示している。
【００６０】
また、ポインティングデバイス１′において、操作部１１ａは、挿通孔Ｈの内周面に設けられている。この場合、デバイス本体１１の底面が、接触面Ｃを形成する。ここで、図７（ｂ）に示すように、操作部１１ａは、ポインティングデバイス１′に装着した指Ｆにフィットするように、表面を窪ませておくことが好ましい。
なお、ポインティングデバイス１′におけるデバイス本体１１の底面には、ポインティングデバイス１の場合と同様、センサ部１１ｂが設けられている。
【００６１】
なお、キャップ部Ｂを備える構成は、ポインティングデバイス１にも、当然に適用することができる。また、ポインティングデバイス１には、ポインティングデバイス１′と同様に、挿通孔Ｈの内周面に操作部１１ａが設けられていても良い。
【符号の説明】
【００６２】
１、１′  ポインティングデバイス
１１      デバイス本体
１１ａ    操作部
１１ａ１  底面
１１ｂ    センサ部
Ｈ        挿通孔
ｈ１      第一開口端
ｈ２      第二開口端
Ｃ        接触面
ｐ        ピン孔
Ａ        調節部材
ｇ        嵌合溝
ｊ        嵌合突起
Ｗ        作業面
Ｋ        キーボード
Ｂ        キャップ部
Ｆ        指
【図１】
2020017141.tif 000003
【図２】
2020017141.tif 000004
【図３】
2020017141.tif 000005
【図４】
2020017141.tif 000006
【図５】
2020017141.tif 000007
【図６】
2020017141.tif 000008
【図７】
2020017141.tif 000009
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
ユーザによる操作を受付けて操作内容を含む信号を送信するポインティングデバイスであって、
作業面に配置されるデバイス本体を備え、
前記デバイス本体は、クリック操作を受付ける操作部と、移動操作を受付けるセンサ部と、前記ユーザの指が挿通される挿通孔と、前記作業面と面接触する接触面と、を有し、
前記操作部は、前記接触面を前記作業面に接触させ、前記挿通孔に挿通された前記指を前記作業面に向かって移動させることで操作可能に設けられ、
前記センサ部は、前記デバイス本体の底面に設けられ、前記作業面に照射した光の反射により前記デバイス本体の移動量を検出することを特徴とするポインティングデバイス。
【請求項２】
前記操作部を操作する前記指の移動方向と、前記センサ部の前記光の照射方向と、が同一であることを特徴とする、請求項１に記載のポインティングデバイス。
【請求項３】
前記接触面は、前記挿通孔の一方の開口端から他方の開口端に向かって、漸次前記挿通孔の中心軸から離れるように傾斜していることを特徴とする、請求項１又は２に記載のポインティングデバイス。
【請求項４】
前記接触面は、前記操作部の底面であり、
前記操作部には、貫通穴が設けられ、
前記センサ部は、前記貫通穴を介して、前記作業面に前記光を照射することを特徴とする、請求項１〜３の何れかに記載のポインティングデバイス。
【請求項５】
前記接触面は、前記デバイス本体の底面であり、
前記操作部は、前記挿通孔の内周面に設けられていることを特徴とする、請求項１〜３の何れかに記載のポインティングデバイス。
【請求項６】
前記挿通孔の内周面に当接する調節部材を備え、
前記調節部材は、可撓性材料により形成されていることを特徴とする、請求項１〜５の何れかに記載のポインティングデバイス。
【請求項７】
前記挿通孔の内周面には、嵌合溝が設けられ、
前記調節部材の外周面には、前記嵌合溝に嵌合可能な嵌合突起が設けられていることを特徴とする、請求項６に記載のポインティングデバイス。
【請求項８】
前記デバイス本体は、その外周面に、前記挿通孔に連通するピン孔が設けられていること特徴とする、請求項１〜７の何れかに記載のポインティングデバイス。
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
ユーザによる操作を受付けて操作内容を含む信号を送信するポインティングデバイスであって、
作業面に配置されるデバイス本体を備え、
前記デバイス本体は、クリック操作を受付ける操作部と、移動操作を受付けるセンサ部と、前記ユーザの指が挿通される挿通孔と、前記作業面と面接触する接触面と、を有し、
前記操作部は、一定の厚さを有する薄板状であり、前記挿通孔の中心軸方向と略垂直方向に突出し、前記接触面を前記作業面に接触させ、前記挿通孔に挿通された前記指を前記作業面に向かって移動させることで操作可能に設けられ、
前記センサ部は、前記デバイス本体の底面に設けられ、前記作業面に照射した光の反射により前記デバイス本体の移動量を検出し、
前記デバイス本体の形状は、前記挿通孔により全体として筒状体に構成され、
前記接触面は、前記操作部の底面であり、前記挿通孔の一方の開口端から他方の開口端に向かって、漸次前記挿通孔の中心軸から離れるように傾斜し、
前記操作部には、貫通穴が設けられ、
前記センサ部は、前記貫通穴を介して、前記作業面に前記光を照射し、
前記操作部を操作する前記指の移動方向と、前記センサ部の前記光の照射方向と、が同一であり、
前記挿通孔は、前記他方の開口端から前記一方の開口端に向かって、前記指が挿通され、前記一方の開口端から前記指の先端が突出する構成であり、
前記デバイス本体の底面の面方向と、前記操作部の底面の面方向と、が略平行であることを特徴とするポインティングデバイス。
【請求項２】
前記デバイス本体を一対備え、
前記操作部は、一続きの平面体であることを特徴とする、請求項１に記載のポインティングデバイス。
【請求項３】
前記挿通孔の内周面に当接する調節部材を備え、
前記調節部材は、可撓性材料により形成されていることを特徴とする、請求項１又は２に記載のポインティングデバイス。
【請求項４】
前記挿通孔の内周面には、嵌合溝が設けられ、
前記調節部材の外周面には、前記嵌合溝に嵌合可能な嵌合突起が設けられていることを特徴とする、請求項３に記載のポインティングデバイス。
【請求項５】
前記調節部材は、正面視で略Ｃ字状に形成されていることを特徴とする、請求項３又は４に記載のポインティングデバイス。
【請求項６】
前記デバイス本体は、その外周面に、前記挿通孔に連通するピン孔が設けられていること特徴とする、請求項１〜５の何れかに記載のポインティングデバイス。